(57)【要約】【課題】両ハウジングの嵌合後の動きに制約を加えることなく、両ハウジングが半嵌合状態のまま放置されるのを防止する。【解決手段】ホルダ３０は、ハウジング１０を支持可能な複数の支持アーム３６を有する。ハウジング１０は、相手ハウジング９０との正規嵌合前に各支持アーム３６によって支持される支持位置と、相手ハウジング９０との正規嵌合後に相手ハウジング９０側の嵌合方向と平行な軸周りの回転動作によって支持アーム３６との支持状態を解除させられ、相手ハウジング９０側の動きに応じて動くことが可能な支持解除位置とに変位可能とされている。【選択図】図１
2016091756.tif 000002
【特許請求の範囲】
【請求項１】
相手ハウジングに嵌合可能なハウジングと、
前記ハウジングを支持可能な複数の支持アームを有するホルダとを備え、
前記ハウジングは、前記相手ハウジングとの正規嵌合前に前記複数の支持アームによって支持される支持位置と、前記相手ハウジングとの正規嵌合後に前記相手ハウジング側の嵌合方向と平行な軸周りの回転動作によって前記支持アームとの支持状態を解除させられ、前記相手ハウジング側の動きに応じて動くことが可能な支持解除位置とに変位可能とされていることを特徴とするコネクタ。
【請求項２】
前記ハウジングは、前記相手ハウジングに押し込まれることで、前記ホルダに対し前記支持解除位置からさらに嵌合方向後方に後退させられることを特徴とする請求項１記載のコネクタ。
【請求項３】
前記ハウジングは、断面略四角形のハウジング本体を有し、前記ハウジング本体の四角部には、それぞれ支持受片が外側に突出して設けられ、
前記ホルダは、前記ハウジングを受ける枠状の基体部を有し、前記複数の支持アーム部は、それぞれ前記基体部の対角位置から内側に突出し、その突出端部が対応する前記支持受片を係止するように構成されていることを特徴とする請求項１又は２記載のコネクタ。
【発明の詳細な説明】
【技術分野】
【０００１】
本発明は、コネクタに関する。
【背景技術】
【０００２】
特許文献１には、互いに嵌合可能な雌雄一対のハウジングを備えたコネクタが開示されている。雌ハウジングは、内側の可動ブロックと外側の固定ブロックとの間に空隙を設けた内外二重の筐体として成形されている。可動ブロックは、前記間隙によって固定ブロックに対し左右前後に水平なＸ軸、Ｙ軸方向に変位できるように弾性屈曲可能な複数の薄肉連結片で一体に連結されている。両ハウジングの嵌合力による負荷が過大なときには各薄肉連結片を介して可動ブロックが固定ブロックに対して垂直なＺ軸方向に変位することにより、過大負荷を吸収することができると記載されている。
【先行技術文献】
【特許文献】
【０００３】
【特許文献１】特開２００２−９３５３１号公報
【発明の概要】
【発明が解決しようとする課題】
【０００４】
上記の場合、両ハウジングの嵌合後の動きが薄肉連結片の弾性変位の範囲内に制限されるため、例えば、雄ハウジング側が回転する等して大きく変動したときに雌ハウジングが雄ハウジング側に追従変位することができないという問題がある。また、上記の場合、両ハウジングの嵌合途上で雌ハウジングが雌ハウジングに押圧されることにより、薄肉連結片が弾性撓みして、雌ハウジングが嵌合方向後方に変位するため、両ハウジングが正規嵌合されたときのロックフィーリングを得にくく、作業者が嵌合操作を途中で終えてしまうおそれがある。
【０００５】
本発明は上記のような事情に基づいて完成されたものであって、両ハウジングの嵌合後の動きに制約を加えることなく、両ハウジングが半嵌合状態のまま放置されるのを防止することを目的とする。
【課題を解決するための手段】
【０００６】
本発明は、相手ハウジングに嵌合可能なハウジングと、前記ハウジングを支持可能な複数の支持アームを有するホルダとを備え、前記ハウジングは、前記相手ハウジングとの正規嵌合前に前記複数の支持アームによって支持される支持位置と、前記相手ハウジングとの正規嵌合後に前記相手ハウジング側の嵌合方向と平行な軸周りの回転動作によって前記支持アームとの支持状態を解除させられ、前記相手ハウジング側の動きに応じて動くことが可能な支持解除位置とに変位可能とされているところに特徴を有する。
【発明の効果】
【０００７】
両ハウジングが正規嵌合される前は、各支持アームによってハウジングが支持位置に支持され、両ハウジングが正規嵌合された後は、相手ハウジング側の嵌合方向と平行な軸周りの回転動作によってハウジングと支持アームとの支持状態が解除させられ、その支持解除位置にてハウジングが相手ハウジング側の動きに応じて動くことが可能となる。したがって、両ハウジングが正規嵌合されるまでの間は、ハウジングが嵌合方向後方に変位することなく支持アームとの支持状態を維持することができるため、正規嵌合前に両ハウジングが正規嵌合されたと誤って判断される事態を回避することができる。その結果、両ハウジングが半嵌合状態のまま放置されるのを防止することができる。また、両ハウジングの正規嵌合後は、相手ハウジング側の動きに応じてハウジングも制約なく動くことができる。
【図面の簡単な説明】
【０００８】
【図１】本発明の実施例のコネクタの斜視図である。
【図２】コネクタの正面図である。
【図３】ハウジングが支持解除位置に変位した状態を示す正面図である。
【図４】コネクタが相手ハウジングに対向して配置された状態を示す側面視方向の断面図である。
【図５】ハウジングが支持解除位置から後退して退避スペースに移行した状態を示す側面視方向の断面図である。
【図６】ハウジングの側面図である。
【図７】ハウジングの正面図である。
【図８】ホルダの正面図である。
【図９】ホルダの支持アームにおける前側抜止部と後側抜止部との間に支持受片が挟まれた状態を示す一部破断斜視図である。
【発明を実施するための形態】
【０００９】
本発明の好ましい実施形態を以下に示す。
前記ハウジングは、前記相手ハウジングに押し込まれることで、前記ホルダに対し前記支持解除位置からさらに嵌合方向後方に後退させられる。これによれば、ハウジングが嵌合方向後方に後退させられた位置にあるスペースでほぼ自在に動くことができる。
【００１０】
前記ハウジングは、断面略四角形のハウジング本体を有し、前記ハウジング本体の四角部には、それぞれ支持受片が外側に突出して設けられ、前記ホルダは、前記ハウジングを受ける枠状の基体部を有し、前記複数の支持アーム部は、それぞれ前記基体部の対角位置から内側に突出し、その突出端部が対応する前記支持受片を係止するように構成されている。これによれば、ハウジングがその四角部で支持アームに安定して支持される。
【００１１】
＜実施例＞
以下、実施例を図面に基づいて説明する。本実施例のコネクタは、ハウジング１０と、ハウジング１０を保持するホルダ３０とを備え、ハウジング１０は相手ハウジング９０に嵌合可能とされている。なお、以下の説明において、前後方向については、両ハウジング１０、９０が嵌合開始時に互いに向き合う面側を前側とする。
【００１２】
相手ハウジング９０は合成樹脂製であって、図４に示すように、前方に開口する筒状のフード部９１を有している。フード部９１内には、相手端子金具６０が突出して配置されている。この相手ハウジング９０は、ソレノイド８０の外周面に突設されている。ソレノイド８０は、軸心を前後方向に向けた円柱状をなし、相手ハウジング９０とともに軸心周りに回転可能とされている。フード部９１の上壁には、ロック受部９２が貫通して設けられている。
【００１３】
ハウジング１０は合成樹脂製であって、図６及び図７に示すように、前後方向に細長い断面略四角形の角ブロック状のハウジング本体１１を有している。このハウジング１０は、後述するように、相手ハウジング９０との嵌合前にホルダ３０に支持される支持位置（図１、図２及び図４を参照）と、相手ハウジング９０との嵌合後に相手ハウジング９０側の回転動作に起因して支持位置における支持状態を解除される支持解除位置（図３を参照）とに変位可能となっている。
【００１４】
図７に示すように、ハウジング本体１１には、一対のキャビティ１２が横並びで設けられている。図５及び図６に示すように、各キャビティ１２には、後方から端子金具５０が挿入される。端子金具５０は導電金属製であって、電線２０の端部に接続されている。
【００１５】
また、図１及び図６に示すように、ハウジング本体１１には、その上面の前後両端に一体に連結された両持ち梁状のロックアーム１３が設けられている。ロックアーム１３の上面の前後方向略中央部には、ロック突起１４が設けられている。ロックアーム１３は、前後両端を支点として上下方向に撓み変形可能とされている。図５に示すように、両ハウジング１０、９０が正規嵌合されると、ロックアーム１３のロック突起１４が相手ハウジング９０のロック受部９２に弾性的に嵌り込み、両ハウジング１０、９０が離脱規制された状態で保持される。
【００１６】
図１及び図７に示すように、ハウジング本体１１の後端の四角部には、それぞれ支持受片１５が外側に突出して設けられている。各支持受片１５は、ハウジング本体１１の上面の左右両端部から上方に突出したあと幅方向外側に張り出すものと、ハウジング本体１１の下面の左右両端部から下方に突出したあと幅方向外側に張り出すものとで構成されている。各支持受片１５のうち、幅方向外側に張り出す部分は、角柱状をなし、略水平に配置されている。そして、上側の支持受片１５は、ロックアーム１３の後端部を挟んだ左右両側に配置されている。
【００１７】
続いてホルダ３０について説明する。ホルダ３０は合成樹脂製であって、図１及び図８に示すように、ハウジング１０を受ける門型枠状の基体部３１を有している。基体部３１は、上下方向に沿った一対の側板部３２と、両側板部３２の後端部同士をつなぐ背板部３３とを有している。背板部３３には、下端に開口する電線導出口３４が設けられている。ハウジング本体１１の後面から延出する電線２０は、背板部３３の電線導出口３４から外部に引き出されるようになっている。
【００１８】
図１、図４及び図５に示すように、両側板部３２の前端部及び後端部には、その下面に、取付片３５が突設されている。ホルダ３０は、各取付片３５によって機器側のプレート部材７０に取り付けられるようになっている。また、図１及び図８に示すように、両側板部３２の前端部には、その内面の上端部及び下端部に、一対ずつの支持アーム３６が内側に延出して設けられている。各支持アーム３６は、それぞれ、ホルダ３０の四角部の対角位置にて上下左右に対称に配置されている。そして、各支持アーム３６は、全体として幅方向内側に延出し、且つ全体としてホルダ３０の中心に向けて緩く傾斜する形態とされている。各支持アーム３６の延出端部には、全体的に幅方向（左右方向）に沿うように配置された厚肉の支持本体３７が設けられている。図４及び図９に示すように、支持本体３７の内面（ホルダ３０の中心部を臨む面）には、前端部に前側抜止部３８が突設され、後端部に後側抜止部３９が突設されている。前側抜止部３８の後面及び後側抜止部３９の前面は、上下方向にほぼ沿って配置されている。また、後側抜止部３９の突出寸法は、前側抜止部３８の突出寸法よりも大きくされている。
【００１９】
図９に示すように、前側抜止部３８の前端角部には、テーパ状の斜面部４１が切り欠くようにして設けられている。また、図４に示すように、支持本体３７には、前側抜止部３８と後側抜止部３９との間に、ハウジング１０の支持受片１５を嵌合可能な嵌合凹部４３が設けられている。そして、図４及び図５に示すように、ホルダ３０のうち、各支持アーム３６よりも後方には、背板部３３との間に、支持解除位置から後退したハウジング１０が配置される退避スペース４５が確保されている。
【００２０】
次に、本実施例のコネクタの作用を説明する。
ホルダ３０にハウジング１０を組み付けるに際し、ホルダ３０に対してハウジング１０を支持位置に支持させる。この場合、各支持受片１５が斜面部４１を摺動したあと対応する支持受片１５に前方から嵌り込む。すると、図４及び図９に示すように、各支持受片１５が、前側抜止部３８によって前方に抜け止めされるとともに後側抜止部３９によって後方に抜け止めされ、支持位置にて前後方向に位置決めされた状態となる。また、図１及び図２に示すように、各支持受片１５が、対応する支持アーム３６に対してハウジング本体１１の四角方向から上下左右にほぼ位置決めされた状態で支持される。かくしてハウジング１０がホルダ３０に対して支持位置にて安定に保持される。
【００２１】
次いで、ハウジング１０に相手ハウジング９０が嵌合される。この場合に、ハウジング１０がホルダ３０を介してプレート部材７０に待ち受け状態で保持されているため、相手ハウジング９０がソレノイド８０とともに変位してハウジング１０に接近するようになっている。
【００２２】
両ハウジング１０、９０の嵌合開始時に、仮に、相手ハウジング９０がハウジング１０に正対した状態になく嵌合方向と交差する方向に位置ずれしていた場合には、ハウジング１０の前端部に形成された面取り部１８（図１、図６及び図８を参照）に相手ハウジング９０が摺動し、且つ、各支持アーム３６が各支持受片１５の支持状態を維持する範囲で弾性撓みすることにより、両ハウジング１０、９０の嵌合姿勢が正規姿勢に矯正させられる。
【００２３】
また、両ハウジング１０、９０の嵌合過程では、ロックアーム１３のロック突起１４が相手ハウジング９０のフード部９１と干渉し、両端子金具５０、６０の接続動作が開始されることにより、嵌合抵抗が上昇し、ハウジング１０に対し、相手ハウジング９０に押し込まれて後退させられる向きの力が作用する。もっとも、本実施例の場合、各支持受片１５が各支持アーム３６の後側抜止部３９にしっかりと当て止めされていることから、両ハウジング１０、９０が正規嵌合されるまでの間、各支持受片１５が各支持アーム３６に支持される状態が維持され、ハウジング１０の後退変位が規制される。したがって、両ハウジング１０、９０が正規嵌合されるまでの間に、両ハウジング１０、９０が正規嵌合されたと誤って判断される事態が回避される。
【００２４】
そして、ロックアーム１３がロック受部９２を弾性的に係止し、両ハウジング１０、９０が正規嵌合された後、ソレノイド８０が軸心周りに強制的に回転させられる。すると、ソレノイド８０に設けられた相手ハウジング９０もソレノイド８０の軸心周りに周方向に変位させられる。相手ハウジング９０が変位させられると、その回転方向の力を受けて、各支持受片１５が各支持アーム３６の撓み動作を伴いながら嵌合凹部４３から抜け出る。その結果、ハウジング１０の支持状態が解除させられ、図３に示すように、相手ハウジング９０とともにハウジング１０も周方向に変位させられる。なお、図３では相手ハウジング９０が省略されている。かかる支持解除位置では、ハウジング１０がソレノイド８０の回転方向に対応するように時計周り方向（図３を参照）又は反時計周り方向に変位した状態にあり、ホルダ３０内にてハウジング１０が図３における向かって右側の側板部３２又は左側の側板部３２に近接して配置される。
【００２５】
また、両ハウジング１０、９０が正規嵌合された状態では、ソレノイド８０のバルブ８１は未だ機器側のソレノイド受部７１（図４を参照）に正規深さで嵌合されていない。そこで、ソレノイド８０をさらに押し込むことにより、ソレノイド８０をソレノイド受部７１に正規嵌合させ、その状態で図示しない固定手段によってソレノイド受部７１に固定する。
【００２６】
ソレノイド８０が押し込まれる過程では、ソレノイド８０とともに相手ハウジング９０が変位し、相手ハウジング９０と嵌合状態にあるハウジング１０も支持解除位置から後退させられる。ソレノイド８０がソレノイド受部７１に正規嵌合されると、図５に示すように、ハウジング１０が退避スペース４５に進入し、その退避スペース４５でソレノイド８０（相手ハウジング９０）側の動きに応じて動くことが可能な状態になる。
【００２７】
以上説明したように、本実施例によれば、両ハウジング１０、９０が正規嵌合されるまでの間、ハウジング１０の各支持受片１５が各支持アーム３６の後側抜止部３９に当て止めされて、ハウジング１０の後退変位が規制されるため、両ハウジング１０、９０の嵌合動作を途中で停止させることなく、両ハウジング１０、９０を正規嵌合状態に至らすことができる。また、両ハウジング１０、９０の正規嵌合後は、相手ハウジング９０側の回転動作に応じて各支持受片１５が各支持アーム３６から離間し、ハウジング１０の支持状態が解除させられるため、ハウジング１０が相手ハウジング９０側の動きに応じて動くことが可能となる。したがって、本実施例によれば、両ハウジング１０、９０の嵌合後の動きに制約が加わることなく、両ハウジング１０、９０が半嵌合状態のまま放置される事態を回避することができる。
【００２８】
また、相手ハウジング９０に押し込まれたハウジング１０は、支持解除位置からホルダ３０内の退避スペース４５に移動させられるため、退避スペース４５でほぼ自在に動くことができる。さらに、ハウジング１０がその四角部で支持アーム３６に支持されるため、ハウジング１０の支持状態が安定に維持される。
【００２９】
＜他の実施例＞
以下、他の実施例を簡単に説明する。
（１）退避スペースは、ホルダの外側のスペースに設けられるものであってもよい。
（２）基体部は、矩形枠状に形成されるものであってもよい。
（３）支持アームは、実質的に弾性撓み不能に形成されるものであってもよい。
（４）支持アームは、ハウジングを周方向の二方向又は三方向から支持するものであってもよい。
【符号の説明】
【００３０】
１０…ハウジング
１１…ハウジング本体
１５…支持受片
３０…ホルダ
３１…基体部
３６…支持アーム
３９…後側抜止部
４３…嵌合凹部
９０…相手ハウジング
【図１】
2016091756.tif 000003
【図２】
2016091756.tif 000004
【図３】
2016091756.tif 000005
【図４】
2016091756.tif 000006
【図５】
2016091756.tif 000007
【図６】
2016091756.tif 000008
【図７】
2016091756.tif 000009
【図８】
2016091756.tif 000010
【図９】
2016091756.tif 000011